(57)【要約】【課題】  保湿時間に応じて最適な吸引回復動作を行うことにより、廃棄されるインク量を削減可能なインクジェット記録装置を提供する。【解決手段】  記録ヘッドのキャップ内に予備吐出を行い、キャップで密閉することにより吐出口の保湿回復を行う。保湿回復中に印字命令が入力された場合、この回復状態に応じて印字前の吸引回復のレベルを変更する。【選択図】  図１
2010149504.tif 000002
【特許請求の範囲】
【請求項１】
インクを吐出するための複数の吐出口が形成された吐出口面を有する記録ヘッドと、
前記吐出口面をキャップするためのキャップと、
前記キャップを介して前記記録ヘッドからインクを吸引するための吸引回復手段と、
前記記録ヘッドから排出されたインクが存在している状態の前記キャップで前記吐出口面をキャップしてからの経過時間に応じて吸引量が異なるように、前記吸引回復手段を制御する制御手段とを備え、
前記制御手段は、前記経過時間が第１の時間を超えない場合には、前記経過時間が長くなるに従って前記吸引量が少なくなるように、前記吸引回復手段を制御することを特徴とするインクジェット記録装置。
【請求項２】
前記制御手段は、前記経過時間が前記第１の時間を超えた場合には、前記吸引回復手段による吸引が行われないように、前記吸引回復手段を制御することを特徴とする請求項１に記載のインクジェット記録装置。
【請求項３】
前記制御手段は、（Ａ）前記経過時間が前記第１の時間を超えるが前記第１の時間よりも長い第２の時間を超えない場合には、前記吸引回復手段による吸引が行われないように、前記吸引回復手段を制御し、（Ｂ）前記経過時間が前記第２の時間を超える場合には、前記吸引回復手段による吸引が行われるように、前記吸引回復手段を制御することを特徴とする請求項１に記載のインクジェット記録装置。
【請求項４】
前記複数の吐出口の吐出不良を検出し、検出結果に基づいて予め定められた複数段階の異なる吐出不良レベルのうちの１つを特定する吐出不良検出手段をさらに備え、
前記制御手段は、当該特定された吐出不良レベルにおいて、前記経過時間が長くなるに従って前記吸引量が少なくなるように、前記吸引回復手段を制御する請求項１に記載のインクジェット記録装置。
【請求項５】
インクを吐出するための複数の吐出口が形成された吐出口面を有する記録ヘッドと、
前記吐出口面をキャップするためのキャップと、
前記キャップを介して前記記録ヘッドからインクを吸引するための吸引回復手段と、
前記記録ヘッドから排出されたインクが存在している状態の前記キャップで前記吐出口面をキャップしてからの経過時間に応じて、前記吸引回復手段による吸引量を制御する制御手段とを備え、
前記制御手段は、前記経過時間が第１の時間の場合に制御する吸引量が、前記経過時間が前記第１の時間よりも短い第２の時間の場合に制御される吸引量よりも少なくなるように制御することを特徴とすることを特徴とするインクジェット記録装置。
【発明の詳細な説明】
【技術分野】
【０００１】
本発明は、記録ヘッドの吐出口をキャップするキャップを有する記録ヘッドを有するインクジェット記録装置に関する。
【背景技術】
【０００２】
インクジェット記録装置は、記録ヘッドに設けられた吐出口面に形成された微細な吐出口からインク滴を飛翔させ、そのインク滴を記録媒体に着弾させることにより記録を行う。インクジェット記録装置の問題点は、インクが空気に接する部分である吐出口やその近傍からインク中の水分が蒸発することにより増粘が生じることである。この増粘したインクによって吐出口の目詰まりなどの吐出不良が発生し、インク吐出が不安定になってしまう。これに対し、記録開始時や一定時間間隔ごとに吐出口やその近傍の増粘インクを吸引排出することによりインクを入れ替える回復方法や、記録領域外にインクを吐出させる、いわゆる予備吐出が知られている。
【０００３】
一方、インク吐出を行わない非記録動作時などにおいて、記録ヘッドの吐出口面をキャップするためのキャップを設けることが知られている。これにより、吐出口からインク中の水分の蒸発を防ぐことが可能である。さらに、キャップ内に設けられた吸収体にインクを吐出して内部を保湿し、吐出口面を保湿して放置することによりノズルの目詰まりを回復させる方法が知られている。この方法を用いることにより、吸引回復を行う場合に比べて廃棄するインク量を大幅に削減することができる（特許文献１参照）。
【先行技術文献】
【特許文献】
【０００４】
【特許文献１】特開２００５−３１３１１４号公報
【発明の概要】
【発明が解決しようとする課題】
【０００５】
キャップ内にインクを吐出して保湿することにより目詰まりを回復させる方法においては、目詰まりを回復するまで保湿状態で長時間放置する必要がある。
【０００６】
特許文献１に記載の発明では、長時間の保湿回復を行うか、あるいはすぐに吸引回復を行うかをユーザーにより選択される。保湿回復を選択した場合は、長時間キャップして放置するため、その間は記録動作を行うことは記載されていない。
【０００７】
本発明は、保湿回復中に記録動作命令が入力された場合でも、それまでの保湿回復状況に応じた吸引回復を行うことにより保湿回復完了を待たずに記録可能とし、さらに廃棄される無駄なインクを低減可能とするインクジェット記録装置の提供を目的とする。
【課題を解決するための手段】
【０００８】
上記課題を解決するための本発明は、インクを吐出するための複数の吐出口が形成された吐出口面を有する記録ヘッドと、前記吐出口面をキャップするためのキャップと、前記キャップを介して前記記録ヘッドからインクを吸引するための吸引回復手段と、前記記録ヘッドから排出されたインクが存在している状態の前記キャップで前記吐出口面をキャップしてからの経過時間に応じて吸引量が異なるように、前記吸引回復手段を制御する制御手段とを備え、前記制御手段は、前記経過時間が第１の時間を超えない場合には、前記経過時間が長くなるに従って前記吸引量が少なくなるように、前記吸引回復手段を制御することを特徴とする。
【０００９】
また、他の本発明は、インクを吐出するための複数の吐出口が形成された吐出口面を有する記録ヘッドと、前記吐出口面をキャップするためのキャップと、前記キャップを介して前記記録ヘッドからインクを吸引するための吸引回復手段と、前記記録ヘッドから排出されたインクが存在している状態の前記キャップで前記吐出口面をキャップしてからの経過時間に応じて前記吸引回復手段による吸引量を制御する制御手段とを備え、前記制御手段は、前記経過時間が第１の時間の場合に制御する吸引量が、前記経過時間が前記第１の時間よりも短い第２の時間の場合に制御される吸引量よりも少なくなるように制御することを特徴とする。
【発明の効果】
【００１０】
本発明によれば、保湿回復中に記録動作命令が入力された場合でも、それまでの保湿回復状態に応じた吸引回復を行うことにより、保湿回復を待たずに記録可能とし、さらに無駄な廃インク量の低減を可能とする。
【図面の簡単な説明】
【００１１】
【図１】シーケンスを説明するフローチャート
【図２】第２の実施形態を示すフローチャート
【図３】第２の実施形態の「シーケンスＡ」を示すフローチャート
【図４】第２の実施形態の「シーケンスＢ」を示すフローチャート
【図５】第２の実施形態の「シーケンスＣ」を示すフローチャート
【図６】第２の実施形態における「キャップクローズ状態の経過時間Ｔと回復吸引の関係」を示す表
【図７】第３の実施形態を示すフローチャート
【図８】第３の実施形態を示すフローチャート
【図９】第４の実施形態を示すフローチャート
【図１０】インクジェット記録装置の図
【図１１】インクジェット記録装置の回復系の構成例を示す模式図
【図１２】インクジェット記録装置のキャップ部分の拡大断面図
【図１３】記録ヘッドの図
【図１４】記録ヘッドの分解図
【図１５】記録素子基板の一部破断がなされた斜視図
【図１６】装置内の制御系電気ブロック図
【発明を実施するための形態】
【００１２】
以下に、本発明の実施形態について図面を参照して説明する。
【００１３】
（第１の実施形態）
図１３から図１５は、本実施形態の記録ヘッドを説明するための説明図である。以下、これらの図面を参照して各構成要素について説明する。
【００１４】
図１３は、本実施形態の記録ヘッドの外観を示す図である。インクタンク一体の構成となっており、それぞれカラーインク（シアンインク、マゼンタインク、イエローインク）を搭載している。この記録ヘッドＨ１００１は、インクジェット記録装置本体に載置されているキャリッジの位置決め手段および電気的接点によって固定支持されるとともに、キャリッジに対して着脱可能となっており、搭載したインクが消費されるとそれぞれ交換される。なお、本発明における記録ヘッドは、上述のようにカラーインクをそれぞれ搭載するものであってもよいし、ひとつの記録ヘッドに複数のカラーインクを搭載するものであってもよい。
【００１５】
次に、図１４及び図１５を用いて記録ヘッドを構成しているそれぞれの構成要素毎に説明する。本実施形態における記録ヘッドＨ１００１は、電気信号に応じて膜沸騰をインクに対して生じせしめるための熱エネルギーを生成する電気熱変換体を用いた方式の記録ヘッドである。また、電気熱変換体とインク吐出口とが対向するように配置された、いわゆるサイドシュータ型の記録ヘッドである。
【００１６】
記録ヘッドＨ１００１はシアン、マゼンタ、イエローの３色のインクを吐出させるためのものである。また、図１４に示すように、記録素子基板Ｈ１１０１、電気配線テープＨ１３０１、インク供給保持部材Ｈ１５０１、フィルタＨ１７０１〜Ｈ１７０３、インク吸収体Ｈ１６０１〜Ｈ１６０３、蓋部材Ｈ１９０１、およびシール部材Ｈ１８０１から構成されている。
【００１７】
図１５はＳｉ基板を用いた記録素子基板Ｈ１１０１の構成を説明するために一部破断して示す斜視図であり、シアン、マゼンタ、イエロー用の３個のインク供給口Ｈ１１０２が並列して形成されている。それぞれのインク供給口Ｈ１１０２を挟んでその両側に電気熱変換素子Ｈ１１０３と吐出口Ｈ１１０７とが一列に並んで千鳥状に配置されて形成されている。また、記録素子基板Ｈ１１０１上には、電気配線、ヒューズもしくは抵抗等、電極部Ｈ１１０４などが形成されており、その上に樹脂材料でフォトリソグラフィ技術によってインク流路壁Ｈ１１０６や吐出口Ｈ１１０７が形成されている。また、電気配線に電力を供給するための電極部Ｈ１１０４にはＡｕ等のバンプＨ１１０５が形成されている。
【００１８】
図１０は、本発明の実施形態に係るインクジェット記録装置の全体構成を示す概観斜視図であり、この図１０においては、装置の外装である上ケースを除いた状態を示している。図１０において、給紙トレイ１１にセットされたシート（被記録媒体）は給紙ローラ（不図示）の回転によって給紙され、この給紙されたシートは搬送ローラ（不図示）によってプラテン３１上を搬送される。この搬送の間にキャリッジ２０に搭載された記録ヘッドＨ１００１から、その走査に伴ってインクが吐出されシート上に画像などの記録（形成）がなされる。
【００１９】
また、図１０において、キャリッジ２０は上記記録ヘッドＨ１００１を着脱自在に搭載するものである。このキャリッジ２０は走査レール３３と摺動可能に係合すると共に、キャリッジモータ（不図示）の駆動力がベルトなどの伝達機構を介して伝達されることにより、上記記録ヘッドＨ１００１の走査を行うことができる。また、キャリッジ２０の移動範囲の一方の端部には、記録ヘッドＨ１００１の吐出機能を良好に維持する吐出回復処理を行うための回復系５０が設けられている。
【００２０】
図１１は、図１０に示したインクジェットプリンタの回復系５０の構成例を示す模式図である。図１１において、２４は走査レール３３と係合するためのキャリッジ２０の軸受け部である。５１は記録ヘッドの吐出口面を覆い、キャップすることのできるキャップで、矢印Ａ方向に移動可能である。キャリッジ２０がホームポジションに設けられた回復系上に位置する時に不図示の上昇下降機構にて上昇することで吐出口面を密着し、下降することで吐出口面から離脱できるような構成となっている。図１１において、５６はキャップに連通した吸引チューブ、５７はキャップに連通した大気連通チューブ、５８は大気連通弁機構であり、大気連通チューブ５７に連結されている。この大気連通弁は不図示のカム機構で開閉できるようになっている。５２は吸引ポンプであり、チューブポンプを形成している。５１はポンプベースであり、内側にチューブガイド面５１ａが半円形状で形成されている。５３はコロホルダーであり、これに２個のコロ（ローラ）５５が回転軸５４を中心とする回転に応じて吸引チューブ５６をしごきながら移動することでキャップ４０内に負圧を発生させている。７０はブレード、７１はブレードを保持しているブレードホルダーである。キャップ４０が下方に移動して待機しているときに矢印Ｂ方向にブレードホルダー７１がスライドすることにより、ブレード７０が吐出口面に当接しながら吐出口面に残留したインク滴や紙粉などのごみをワイピングするように構成されている。
【００２１】
図１２はキャップ４０の構成を説明するためのキャップ部分の拡大断面図である。キャップ４０には吸引用の連通口４０ａがあり、この連通口４０ａは図１１に示した吸引チューブ５６と連結されている。また、４０ｂは大気連通用の連通口であり、図１１に示した大気連通チューブ５７と連結されている。また、キャップ４０内部には多孔質の吸収体４５が備えられている。図１５で説明した３色の吐出口列を一つのキャップでキャップして覆うようにキャップ４０を吐出口面２１ａに密着させる。なお、本実施形態において、記録ヘッドＨ１００１のノズル構成は特に図１５に示される構成に限定されるものではなく、複数の色に対応したノズル列を一直線上に配置したり、各色のノズル列の順序を入れ替えた構成としてもよい。
【００２２】
図１６は本発明を適用可能なインクジェット記録装置の構成例を示すブロック図である。この図において、インクジェット記録装置の構成は、画像入力部６３、それに対応する画像信号処理部６４、中央制御部（ＣＰＵ）６０といったソフト系処理手段と、操作部６６、回復系制御回路６７、キャリッジ制御回路７６、紙送り制御回路７７、ヘッド駆動制御回路７８といったハード系処理手段とに大別され、それぞれメインバスライン６５に対しアクセスするよう構成されている。
【００２３】
また、中央制御部６０は制御プログラムを格納するプログラムＲＯＭ６１と記録ヘッド２０に供給するプリントデータなどの各種データを保存しておくランダムアクセスメモリ（ＲＡＭ）を有し、入力情報に対して適正記録条件をキャリッジ制御回路７６、紙送り制御回路７７、ヘッド駆動制御回路７８に与えてそれぞれキャリッジモータ７３、搬送モータ７４、記録ヘッド２１を駆動して記録を行う。ＲＯＭ６１には後述する回復動作タイミングチャートを実行するプログラムも保存されており、必要に応じて（例えば、操作部６６からの吸引回復動作の実行命令）、回復系制御回路６７や、ヘッド駆動制御回路７８に制御条件を与え回復動作を実行する。
【００２４】
回復系制御回路６７は回復系モータ６８を駆動し、不図示のカム機構などによりキャップ４０、大気連通弁５８、ブレード７０、吸引ポンプ５２を動作させる。ヘッド駆動制御回路７７は記録ヘッドＨ１００１の電気・熱変換体の駆動を行うもので、記録時のインク吐出や予備吐出を行うものである。これによって、以下に説明する回復動作を実行することができる。
【００２５】
本実施形態ではキャップを被嵌した状態で大気連通弁を開放する動作を、ポンプを一時停止してから行っていたが、特にこれに限定されることはなく、ポンプの吸引動作を行いながら大気連通弁を開放するような構成にしても良い。
【００２６】
また、本実施形態では、キャップが一つの構成の場合で説明したが、キャップが複数ある場合でもそれぞれのキャップでの吸引動作において本発明を適用することが出来、また、複数のキャップの何れかの吸引動作のみで適用することもできる。
【００２７】
また、ポンプの構成をチューブポンプ形態で説明したが、特にこれに限定されることはなく、キャップ内に負圧を発生できるポンプ構成であればよい。
【００２８】
以上のように、本発明におけるインクジェット記録装置は、キャップ手段と、前記吐出口から安定したインクの吐出が行われるように、前記記録ヘッドに対して回復動作を行う回復手段を有している。
【００２９】
本実施形態のシーケンスについて、図１のフローチャートに基づき説明する。まず、電源の入力などにより本シーケンスが開始されると（Ｓ１００）、吐出不良レベルを検出するため、ノズルチェックパターンが印刷される（Ｓ１０１）。印刷されたノズルチェックパターンに基づき、吐出不良の有無の検出が行われる（Ｓ１０２）。この検出結果に吐出不良がない場合は、本シーケンスを終了し、印字命令（記録動作命令）を待つ（Ｓ１１９）。このとき、吐出不良レベルを検出するステップでは、印刷されたノズルチェックパターンをインクジェット記録装置自体が自動で読み取り検出を行っても良い。また、コストダウン等を考慮し、印刷されたノズルチェックパターンをユーザーが判断し、吐出不良の有無について入力する構成にしてもよい。
【００３０】
そして、検出結果に吐出不良があった場合は、キャップ内の多孔質の吸収体４５に予備吐出を行う（Ｓ１０３）。その後、キャップクローズさせる（Ｓ１０４）。このようにキャップ内をインクが液状で存在する状態にすることにより、吐出口面を保湿させることができる。この時、時刻を外部装置等から取得し、記憶メモリに記憶する（Ｓ１０５）。インクジェット記録装置に接続される主な外部装置としては、記録データをインクジェット記録装置に送信するホストコンピュータとして、パーソナルコンピュータやデジタルカメラが挙げられる。このような外部装置には時計機能が備わっており、ユーザーが時刻を設定することができる。この外部装置の時計機能を利用して時刻情報を取得してもよいし、記録装置本体が持っている時計素子から計測して時刻情報を取得してもよい。
【００３１】
そして、吐出口面を保湿したキャップクローズ状態で放置（キャップ放置）を行い（Ｓ１０６）、ユーザーにより印字命令が入力される（Ｓ１０７）。この印字命令はキャップ放置後すぐに入力される場合や、長期に渡って放置された後に入力される場合がある。そこで印字命令が入力されると（Ｓ１０７）、上述した方法で現在の時刻を取得し、この時刻情報とＳ１０５で記録した記憶メモリに記憶された時刻から、吐出不良レベル検出後のキャップクローズ状態の経過時間Ｔを算出する（Ｓ１０８）。
【００３２】
このキャップクローズ状態の経過時間ＴがＴ１以下である場合は、回復吸引Ａを行なう（Ｓ１０９、Ｓ１１０）。本実施形態ではＴ１は２時間であり、吸引Ａのインク吸引量は０．３０ｇとする。キャップクローズ状態の経過時間Ｔが比較的短い場合には、保湿による充分な回復ができていない。このため、後述する吸引Ｂ及び吸引Ｃと比較して比較的強い吸引Ａを行うことにより、印字前（記録動作前）に吐出不良を回復させる。その後、印字を行い、本シーケンスを終了する（Ｓ１１７、Ｓ１１８）。
【００３３】
同様に、キャップクローズ状態の経過時間ＴがＴ１＜Ｔ≦Ｔ２である場合は（Ｓ１１１）、回復吸引Ｂを行う（Ｓ１１２）。本実施形態ではＴ２は４時間であり、吸引Ａのインク吸引量は０．１５ｇとする。キャップクローズ状態の経過時間Ｔが２時間以上４時間以下の場合は、保湿による回復がある程度できているが、充分ではない。このため、吸引Ａほどの強い吸引は必要ないが、前述の吸引Ａや後述する吸引Ｃと比較して、中程度の吸引Ｂを行うことにより吐出不良を回復させる。その後、印字を行い、本シーケンスを終了する（Ｓ１１７、Ｓ１１８）。
【００３４】
キャップクローズ状態の経過時間ＴがＴ２＜Ｔ≦Ｔ３である場合は、回復吸引Ｃを行なう。本実施形態ではＴ３は６時間であり、吸引Ｃのインク吸引量は０．１０ｇとする。キャップクローズ状態の経過時間Ｔが４時間以上６時間以下の場合は、保湿による回復がほぼできているが、まだ充分ではない。このため、前述の吸引Ａ及び吸引Ｂほどの強い吸引は必要ないため、弱い吸引Ｃを行うことにより吐出不良を回復させる。その後、記録を行い、本シーケンスを終了する（Ｓ１１７、Ｓ１１８）。
【００３５】
ここで、キャップクローズ状態の経過時間ＴがＴ３＜Ｔ≦Ｔ４である場合は、吸引は行わない（Ｓ１１５）。本実施形態においてＴ４は６０日とする。キャップクローズ状態の経過時間Ｔが第１の時間（本実施形態では６時間）以上で、かつ第２の時間（本実施形態では６０日）以下の場合は、保湿による回復ができているため、吸引の必要がない。よって、吸引を行わずに記録を行い、本シーケンスを終了する（Ｓ１１７、Ｓ１１８）。
【００３６】
そして、キャップクローズ状態の経過時間ＴがＴ４＜Ｔである場合は、吸引Ｄを行なう（Ｓ１１５、Ｓ１１６）。前述のようにＴ４は６０日であり、吸引Ｄの吸引量は０．０５ｇとする。キャップ内の水分はほんのわずかであるが少しずつ蒸発してしまう。このため、キャップクローズ状態の経過時間Ｔが第２の時間（本実施形態では６０日）以上の場合は、保湿による回復がいったんできたものの今度はキャップ内の乾燥により少しずつ吐出口の乾燥が進んでしまう。そこで、吸引Ｄを行なうことにより吐出不良を回復させる。その後、記録を行い、本シーケンスを終了する（Ｓ１１７、Ｓ１１８）。
【００３７】
以上のように、本実施形態では、経過時間Ｔ４までは、吐出不良レベル検出後のキャップクローズ状態の経過時間Ｔが長いほど、印字前（記録動作前）に行う吸引回復動作によって廃棄されるインク量が少なくなるように制御する。そのため、保湿回復により回復した場合に加え、保湿回復により回復する前に印字命令が入力された場合にも、その保湿時間で良化した分を考慮して吸引量を制御する。これにより、従来のインク吸引回復に比べて廃棄するインク量を削減できる。
【００３８】
（第２の実施形態）
第２の実施形態では、経過時間Ｔが所定の時間までは、経過時間Ｔが同じならば、吐出不良検出部により検出された吐出不良レベルが良好なほど、印字前に行う吸引回復動作によって廃棄されるインク量が少なくなるように制御することを特徴とする。この本実施形態の特徴以外に関することは第１の実施形態と同様である。以下、図２から図５を用いて詳細に説明する。
【００３９】
本実施形態のフローチャートを図２に示す。第１の実施形態と同様に、電源の入力などにより本シーケンスが開始されると（Ｓ２００）、吐出不良レベルを検出するため、ノズルチェックパターンが印刷される（Ｓ２０１）。本実施形態では、印刷されたノズルチェックパターンに基づいて、吐出不良の有無だけではなく、予め定められた複数段階の吐出不良レベルから、検出された吐出不良レベルを特定する。ここでは、印字状態が悪い方からレベルＡ、レベルＢ、レベルＣ、レベルＤ（良好）の４段階として説明する。まず、吐出不良の有無を検出する（Ｓ２０２）。吐出不良がない場合、吐出不良レベルはＤ（良好）であり、本シーケンスを終了し、印字命令を待つ（Ｓ２０８）。吐出不良がある場合、吐出不良レベルが「レベルＡ」の下限より悪いかを検出する（Ｓ２０３）。吐出不良レベルがレベルＡの下限より悪い場合は、吐出不良レベルＡとなり、後述する吐出不良レベルＡに対応した「シーケンスＡ」が開始される（Ｓ２０４）。吐出不良レベルがレベルＡの下限より良い場合は、吐出不良レベルが「レベルＢ」の下限より悪いか否かを検出する（Ｓ２０６）。吐出不良レベルがレベルＢの下限より悪い場合は、吐出不良レベルＢとなり、後述する吐出不良レベルＢに対応した「シーケンスＢ」が開始される（Ｓ２０６）。吐出不良レベルがレベルＢの下限より良い場合は、吐出不良レベルＣとなり、後述する吐出不良レベルＣに対応した「シーケンスＣ」が開始される（Ｓ２０７）。このように、吐出不良レベルを数段階に分け、それに対応したシーケンスを行う。以下、それぞれのレベルのシーケンスを具体的に説明する。
【００４０】
図３は、吐出不良レベルが最も悪い「レベルＡ」に対応した「シーケンスＡ」を説明するためのフローチャートである。吐出不良レベルがレベルＡと検出され、シーケンスＡが開始されると（Ｓ３００）、キャップ内の多孔質の吸収体４５に予備吐出を行う（Ｓ３０１）。その後、キャップクローズを行う（Ｓ３０２）。このようにキャップ内を湿らせた状態にすることにより、吐出口面を保湿した状態で放置することができる。このとき、第１の実施形態と同様に、時刻を外部装置等から取得し、記憶メモリに記憶する（Ｓ３０３）。吐出口面を保湿したキャップクローズ状態で放置（キャップ放置）を行う（Ｓ３０４）。この後、ユーザーにより印字命令が入力されると（Ｓ３０５）、現在の時刻を取得する（Ｓ３０６）。この時刻情報と、Ｓ３０３で記録した記憶メモリに記憶された時刻とから、吐出不良レベル検出後のキャップクローズ状態の経過時間Ｔを算出する（Ｓ３０６）。ここで、第１の実施形態と同様に、Ｔ１は２時間、Ｔ２は４時間、Ｔ３は６時間、Ｔ４は６０日とし、吸引の強さは吸引Ａ＞吸引Ｂ＞吸引Ｃとする。
【００４１】
キャップクローズ状態の経過時間ＴがＴ１以下である場合は、回復吸引Ａを行う。キャップクローズ状態の経過時間Ｔが比較的短い２時間以下の場合は、保湿による充分な回復ができていないため、比較的強い吸引Ａを行うことにより吐出不良を回復させる（Ｓ３０７、Ｓ３０８）。その後、印字を行い、本シーケンスを終了する（Ｓ３１５、Ｓ３１６）。
【００４２】
キャップクローズ状態の経過時間ＴがＴ１＜Ｔ≦Ｔ２である場合は、回復吸引Ｂを行う（Ｓ３０９、Ｓ３１０）。キャップクローズ状態の経過時間Ｔが２時間以上４時間以下の場合は、保湿による回復がある程度できているが、充分ではないため、中程度の吸引Ｂを行うことにより吐出不良を回復させ、印字を行い、終了する。
【００４３】
キャップクローズ状態の経過時間ＴがＴ２＜Ｔ≦Ｔ３である場合は、回復吸引Ｃを行う（Ｓ３１１，Ｓ３１２）。キャップクローズ状態の経過時間Ｔが４時間以上６時間以下の場合は、保湿による回復がほぼできているが、まだ充分ではないため、弱い吸引Ｃを行うことにより吐出不良を回復させ、印字を行い、終了する。
【００４４】
キャップクローズ状態の経過時間ＴがＴ３＜Ｔ≦Ｔ４である場合は、保湿による回復ができているため、吸引は行わず（Ｓ３１３）、印字を行い、終了する。
【００４５】
キャップクローズ状態の経過時間ＴがＴ４＜Ｔである場合は、吸引Ｄを行う（Ｓ３１４）。キャップ内の水分はほんのわずかであるが少しずつ蒸発してしまうため、キャップクローズ状態の経過時間Ｔが６０日以上の場合は、保湿による回復がいったんできたものの、今度はキャップ内の乾燥により少しずつ吐出口の乾燥が進んでしまう。そこで、吸引Ｄを行うことにより吐出不良を回復させ、印字を行い、終了する。
【００４６】
図４は吐出不良レベルが「レベルＡ」よりも良好な「レベルＢ」に対応した「シーケンスＢ」を説明するためのフローチャートである。
【００４７】
吐出不良レベルＢと検出され、シーケンスＢが開始されると（Ｓ４００）、前述のシーケンスＡと同様に、吸収体４５に予備吐出を行う（Ｓ４００）。その後、キャップクローズを行う（Ｓ４０２）。時刻を外部装置等から取得し、記憶メモリに記憶し（Ｓ４０３）、吐出口面を保湿したキャップクローズ状態で放置（キャップ放置）を行う（Ｓ４０４）。この後、ユーザーにより印字命令が入力されると（Ｓ４０５）、上述したような方法で、現在の時刻情報を受け取り、記録した記憶メモリに記憶された時刻とから、吐出不良レベル検出後のキャップクローズ状態の経過時間Ｔを算出する（Ｓ４０６）。
【００４８】
ここで、前述のように、この「シーケンスＢ」が適応されるのは、キャップクローズ前の吐出不良検出時においてレベルＡよりは吐出不良レベルが良好な「吐出不良レベルＢ」である。そこで、キャップクローズ状態の経過時間ＴがＴ１以下である場合は、同時間ＴでシーケンスＡで行われていた吸引Ａよりも弱い、吸引Ｂで吐出不良を回復させ、印字を行い、本シーケンスを終了する（Ｓ４１３、Ｓ４１４）。
【００４９】
同様に、キャップクローズ状態の経過時間ＴがＴ１＜Ｔ≦Ｔ２である場合は、同時間ＴでシーケンスＡで行われていた回復吸引Ｂより弱い回復吸引Ｃで吐出不良を回復でき、経過時間ＴがＴ２＜Ｔ≦Ｔ４である場合は、吸引は行わずに印字を行い、終了する。このように、キャップクローズ前の吐出不良検出時において、吐出不良レベルが吐出不良レベルＢの場合は、経過時間Ｔが４時間以上（６０日以下）の場合は、保湿による回復ができているため、吸引は必要ない。キャップクローズ状態の経過時間ＴがＴ４＜Ｔである場合は、シーケンスＡと同様に吸引Ｄを行い、印字を行い、終了する。
【００５０】
図５は吐出不良レベルがレベルＢよりさらに良好な「レベルＣ」に対応した「シーケンスＣ」を説明するためのフローチャートである。吐出不良レベルがレベルＣと検出され、シーケンスＣが開始されると（Ｓ５００）、前述のシーケンスＡ及びシーケンスＢと同様に、吸収体４５に予備吐出を行う（Ｓ５０１）。その後、キャップクローズを行い（Ｓ５０２）、時刻を外部装置等から取得し、記憶メモリに記憶する（Ｓ５０３）。そして、吐出口面を保湿したキャップクローズ状態で放置（キャップ放置）を行う（Ｓ５０４）。この後、ユーザーにより印字命令が入力されると（Ｓ５０５）、現在の時刻情報を受け取り、Ｓ５０３で記録した記憶メモリに記憶された時刻から、吐出不良レベル検出後のキャップクローズ状態の経過時間Ｔを算出する（Ｓ５０６）。
【００５１】
前述のように、この「シーケンスＣ」が適応されるのは、キャップクローズ前の吐出不良検出時においてレベルＢよりさらに吐出不良レベルが良好な「吐出不良レベルＣ」である。そこで、キャップクローズ状態の経過時間ＴがＴ１以下である場合は、同時間ＴでシーケンスＢで行われていた吸引Ｂよりさらに弱い吸引Ｃで吐出不良を回復できる。同様に、ステップＳ４１１に示すように、キャップクローズ状態の経過時間ＴがＴ１＜Ｔ≦Ｔ４である場合は、吸引は行わず、印字を行う。キャップクローズ前の吐出不良検出時において、吐出不良レベルが吐出不良レベルＣの場合は、経過時間Ｔが２時間以上（６０日以下）の場合は、保湿による回復ができているため、吸引は必要ない。
【００５２】
キャップクローズ状態の経過時間ＴがＴ４＜Ｔである場合は、吸引Ｄを行い、印字を行い、終了する（Ｓ５１０、Ｓ５１２）。
【００５３】
図６は以上のシーケンスをまとめた「キャップクローズ状態の経過時間Ｔと回復吸引の関係」を示す表である。本実施形態では、所定時間Ｔ４までは、経過時間Ｔが同じならば、吐出不良検出部により検出された吐出不良レベルが良好なほど、印字前に行う吸引回復動作による廃棄インク量が少なくなるように制御する。
【００５４】
以上のことから、本実施形態は、保湿回復中において回復する前に印字命令が入力された場合でも、その保湿時間に良化した分を考慮して吸引量を制御する。さらに、この吸引量の制御は、回復処理前の吐出不良レベルに応じても行われるため、従来のインクの吸引回復に比べて、廃棄するインクの量をさらに大幅に削減することができる。
【００５５】
（第３の実施形態）
次に、吐出不良検出部の別の形態を示す。本実施形態では、キャップが吐出口面から離間されたキャップオープン状態時間に応じて、吐出不良レベルを検出する。図７、８を用いて具体的なシーケンスを説明する。
【００５６】
本実施形態のインクジェット記録装置は、不揮発性メモリを有している。キャップを吐出口面に当接させたキャップクローズ状態時に、キャップオープン動作命令がなされた場合に本シーケンスが開始される（Ｓ６００）。キャップがオープンされると（Ｓ６０１）、前述したような方法により現在の時刻を取得し、不揮発性メモリにキャップオープン開始時刻として時刻情報を記憶する（Ｓ６０２）。この不揮発性メモリは、インクジェット記録装置の電源が切れている間にも記憶した情報を保持し続けることができる。その後、本シーケンスを終了する（Ｓ６０３）。
【００５７】
図８は、印字の最中や記録ヘッドがキャップクローズされていない状態で、装置の電源がＯＦＦされてしまった場合に行われるシーケンスである。本実施形態において、後述するｔ１は１週間、ｔ２は２週間、ｔ３は１ヶ月とする。このシーケンスが開始されると（Ｓ７００）、前述した方法で現在の時刻を取得する。時刻情報を受け取ると、Ｓ６０２で揮発性のメモリに記憶したキャップオープン開始時刻とから、キャップオープン時間ｔを算出する（Ｓ７０１）。そして、キャップオープン時間ｔがｔ１以下である場合は、吐出不良レベルはＤ（良好）と検出し、本シーケンスを終了する（Ｓ７０２、Ｓ７０８）。キャップオープン時間ｔがｔ１＜ｔ≦ｔ２である場合は、吐出不良レベルはＣと検出される（Ｓ７０３、Ｓ７０４）。その場合は、第２の実施形態における、吐出レベルＣに対応した「シーケンスＣ」が開始される。キャップオープン時間ｔがｔ２＜ｔ≦ｔ３である場合は、吐出不良レベルはＢと検出される（Ｓ７０５、Ｓ７０６）。この場合も同様に、吐出レベルＢに対応した「シーケンスＢ」が開始される。キャップオープン時間ｔがｔ３＜ｔである場合は、吐出不良レベルはＡと検出される。この場合も同様に、吐出レベルＡに対応した「シーケンスＡ」が開始される。
【００５８】
以上のように、キャップが吐出口面から離間されたキャップオープン状態の時間に応じて吐出不良レベルを検出し、この吐出レベルに応じた回復シーケンスを行ってもよい。
【００５９】
（第４の実施形態）
次に、吐出不良検出部のさらに別の形態を示す。本実施形態では、インクジェット記録装置から記録ヘッドが取り外されていた時間に応じて、吐出不良レベルを検出することを特徴とする。図９を用いて具体的なシーケンスを説明する。
【００６０】
インクジェット記録装置から記録ヘッドが取り外された場合、本シーケンスが開始される（Ｓ８００）。記録ヘッドが取り外されると（Ｓ８０１）、前述した方法により現在の時刻を取得し、メモリに取り外し開始時刻として時刻情報を記憶する（Ｓ８０２）。その後、ヘッド取り外し状態を経て（Ｓ８０３）、ヘッドが取り付けられる（Ｓ８０４）。ヘッドが取り付けられると、前述した方法で現在の時刻を取得する。時刻情報を受け取ると、メモリに記憶した取り外し開始時刻とから、ヘッド取り外し時間Ｋを算出する（Ｓ８０５）。
【００６１】
本実施形態において、Ｋ１は１週間、Ｋ２は２週間、Ｋ３は１ヶ月とする。ヘッド取り外し時間ＫがＫ１以下である場合は、吐出不良レベルはＤ（良好）と検出し、本シーケンスを終了する（Ｓ８０６、Ｓ８１２）。ヘッド取り外し時間ＫがＫ１＜Ｋ≦Ｋ２である場合は、吐出不良レベルはＣと検出され、第２の実施形態と同様に、吐出レベルＣに対応した「シーケンスＣ」が開始される（Ｓ８０７、Ｓ８０８）。ヘッド取り外し時間ＫがＫ２＜Ｋ≦Ｋ３である場合は、吐出不良レベルはＢと検出され、第２の実施形態と同様に、吐出レベルＢに対応した「シーケンスＢ」が開始される。ヘッド取り外し時間ＫがＫ３＜Ｋである場合は、吐出不良レベルはＡと検出され、第２の実施形態と同様に、吐出レベルＡに対応した「シーケンスＡ」が開始される。
【００６２】
以上のように、インクジェット記録装置から、記録ヘッドが取り外されていた時間に応じて吐出不良レベルを検出し、この吐出レベルに応じた回復シーケンスを行ってもよい。
【００６３】
（第５の実施形態）
本実施形態は、ノズルチェックパターン等の吐出不良の検出を行わず、キャップクローズを行う際、常にキャップ内に予備吐出を行うことを特徴とする。これにより、吐出不良の有無に関わらず、吐出口面がキャップされて放置する場合は、常にキャップ内が保湿されることになる。この特徴部以外は、第１の実施形態と同様の処理を行う。このため、図１において、Ｓ１０１、Ｓ１０３およびＳ１１９のフローは省略し、シーケンスの開始後、Ｓ１０３のキャップ内への吐出を行うように制御する。
【００６４】
このように、本実施形態では吐出口の不良に関わらず保湿を行うため、第１の実施形態の効果に加え、常に吐出口が保湿されることにより吐出不良の発生を抑制することができる。
【００６５】
（その他の実施形態）
以上の実施形態では、キャップ内にインクを吐出後、キャップクローズを行う。吸引量を制御する経過時間は、キャップクローズ時刻を取得することにより算出される。本発明は、キャップ内にインクが存在する状態でキャップされている時間に応じて、吸引量を制御することによりインクを削減するという効果を奏するものである。よって、キャップ内に吐出を行う時刻とキャップクローズ時刻が近接していれば、キャップ内への吐出とキャップクローズ動作は、どちらを先に行ってもよく、どちらの時刻から経過時間の計測を開始してもよい。
【００６６】
また、本発明はキャップ内にインクが存在している状態でキャップクローズを行うものであり、キャップ内にインクを排出するための方法は記録ヘッドからの吐出に限るものではない。例えば、インクタンクから直接キャップ内にインクを供給できるような流路等を設けてもよい。
【００６７】
なお、上述の実施形態においては、ノズルチェックパターンを印刷し、その検出結果により吐出不良ノズルが検出された場合にキャップ内にインクを吐出し、キャップクローズを行っている。本発明において吐出不良を検出することは必須ではなく、すなわち、キャップ内にインクを吐出してキャップクローズを行うのは吐出不良が検出された場合に限るものではない。
【図１】
2010149504.tif 000003
【図２】
2010149504.tif 000004
【図３】
2010149504.tif 000005
【図４】
2010149504.tif 000006
【図５】
2010149504.tif 000007
【図６】
2010149504.tif 000008
【図７】
2010149504.tif 000009
【図８】
2010149504.tif 000010
【図９】
2010149504.tif 000011
【図１０】
2010149504.tif 000012
【図１１】
2010149504.tif 000013
【図１２】
2010149504.tif 000014
【図１３】
2010149504.tif 000015
【図１４】
2010149504.tif 000016
【図１５】
2010149504.tif 000017
【図１６】
2010149504.tif 000018